Podtech/llm-jp-corpus-v4-ja_patent huggingface dataset:
(57)【要約】      （修正有）【課題】育苗用保温器に嵌合し、一体として植物及び茸栽培用保温器となり、上に被せた保温器の内側に付着した結露による水滴が、外側に漏出せずに内部に流入する受皿を提供する。【解決手段】受皿１は、頂点に通気孔６を開けたドーム型のプラスチック成型品の育苗用保温器４に嵌合し、一体として植物及び茸栽培用保温器となる略円柱形のプラスチック成型品である。そのフランジの外周が、上に被せる育苗用保温器４のフランジ５の外周より若干大きく、フランジの内側寄りの部分の嵌合用の円周状の突起３の数か所を欠き、かつフランジの略水平部分２に、内側に向かって低くなると同時に、フランジの略水平部分２の内側寄りの部分が、嵌合用の突起３を欠いた部分に向かって円周方向に低くなる若干の勾配を設ける。【選択図】図１
0003160171.tif 000002
【実用新案登録請求の範囲】
【請求項１】
頂点に通気孔を開けた透明なドーム型のプラスチック成型品の育苗用保温器に嵌合し、一体として植物及び茸栽培用保温器となる、フランジの外周が上に被せるドーム型の育苗用保温器のフランジの外周より若干大きく、フランジの内側寄りの部分の嵌合用の円周状の突起の数か所の部分を欠き、かつフランジの略水平部分に、内側に向かって若干低くなる勾配を設けると同時に、フランジの略水平部分の嵌合用の突起寄りの部分が、嵌合用の突起の中央部付近から嵌合用の突起を欠いた部分に向かって円周方向に若干低くなる勾配を設けたところを特徴とする略円柱形のプラスチック成型品の植物及び茸栽培用保温器の受皿。
【考案の詳細な説明】
【技術分野】
【０００１】  本考案は、頂点に通気孔を開けた透明なドーム型のプラスチック成型品の育苗用保温器に嵌合し、一体として植物及び茸栽培用保温器となる、フランジの外周が上に被せるドーム型の育苗用保温器のフランジの外周より若干大きく、フランジの内側寄りの部分の嵌合用の円周状の突起の数か所の部分を欠き、かつフランジの略水平部分に若干の勾配を設けた略円柱形のプラスチック成型品の受皿に関するものである。
【背景技術】
【０００２】  従来、頂点に通気孔を開けた透明なドーム型のプラスチック成型品の育苗用保温器に嵌合し、一体として植物及び茸栽培用保温器となる略円柱形のプラスチック成型品の受皿は存在していた。
【考案の概要】
【考案が解決しようとする課題】
【０００３】  従来の頂点に通気孔を開けた透明なドーム型のプラスチック成型品の育苗用保温器に嵌合し、一体として植物及び茸栽培用保温器となる略円柱形のプラスチック成型品の受皿においては、ドーム型の育苗用保温器の内側に付着した結露による水滴が、受皿のフランジの内側寄りの部分の嵌合用の円周状の突起に阻まれて受皿の中に流入できず、むしろフランジの水平部分を伝って受皿の外側に漏出してしまうことがあった。従って、受皿のフランジの外周が上に被せるドーム型の育苗用保温器のフランジの外周より若干大きく、受皿のフランジの内側寄りの部分の嵌合用の円周状の突起の数か所の部分を欠き、かつフランジの略水平部分に、内側及び円周状の突起を欠いた方向に若干の勾配を設けることにより、上に被せたドーム型の育苗用保温器の外側に付着した結露による水滴が、受皿の中に流入するようになり、前述の欠点を解決しようとするものである。
【課題を解決するための手段】
【０００４】  本考案は、頂点に通気孔を開けた透明なドーム型のプラスチック成型品の育苗用保温器に嵌合し、一体として植物及び茸栽培用保温器となる略円柱形のプラスチック成型品の受皿であって、そのフランジの外周が上に被せるドーム型の育苗用保温器のフランジの外周より若干大きく、フランジの内側寄りの部分の嵌合用の円周状の突起の数か所の部分を欠き、かつフランジの略水平部分に、内側に向かって若干低くなる勾配を設けると同時に、フランジの略水平部分の嵌合用の突起寄りの部分が、嵌合用の突起の中央部付近から嵌合用の突起を欠いた部分に向かって円周方向に若干低くなる勾配を設けることにより、上に被せたドーム型の育苗用保温器の内側に付着した結露による水滴が、受皿の中に流入するようになり、問題点を解決している。
【考案の効果】
【０００５】  上述の様に、本考案の植物及び茸栽培用保温器の受皿は、フランジの外周が上に被せるドーム型の育苗用保温器のフランジの外周より若干大きく、フランジの内側寄りの部分の嵌合用の円周状の突起の数か所の部分を欠き、かつフランジの略水平部分に、内側に向かって若干低くなる勾配を設けると同時に、フランジの略水平部分の嵌合用の突起寄りの部分が、嵌合用の突起の中央部付近から嵌合用の突起を欠いた部分に向かって円周方向に若干低くなる勾配を設けたので、上に被せたドーム型の育苗用保温器の内側に付着した結露による水滴が、受皿の外側に漏出してしまうことがなく、また受皿のフランジの略水平部分に溜まってしまうこともなく、受皿の中に流入するようになり、植物及び茸栽培用保温器の内部の保水及び保湿効果が高まっており、植物及び茸の室内での育成及び管理に好ましい。
【図面の簡単な説明】
【０００６】
【図１】本考案の植物及び茸栽培用保温器の受皿がドーム型の育苗用保温器と嵌合した状態の実施例を示す手前側半分の部分の正面図である。
【図２】本植物及び茸栽培用保温器の受皿がドーム型の育苗用保温器と嵌合した状態の上面図である。
【図３】本植物及び茸栽培用保温器の受皿の手前側半分の部分の正面図である。
【図４】本植物及び茸栽培用保温器の受皿の上面図である。
【考案を実施するための形態】
【０００７】  受皿のフランジの外周は、上に被せるドーム型の育苗用保温器のフランジの外周より若干大きく、受皿のフランジの内側寄りの部分に数か所の部分を欠いた嵌合用の円周状の突起があり、かつフランジの略水平部分に、内側に向かって若干低くなる勾配があると同時に、フランジの略水平部分の嵌合用の突起寄りの部分が嵌合用の突起の中央部付近から嵌合用の突起を欠いた部分に向かって円周方向に若干低くなる勾配がある。
【実施例】
【０００８】  以下、添付図面に従って一実施例を説明する。１は頂点に通気孔６を開けた透明なドーム型のプラスチック成型品の育苗用保温器４に嵌合し、一体として植物及び茸栽培用保温器となる略円柱形のプラスチック成型品の受皿本体、２は外周が上に被せるドーム型の育苗用保温器４のフランジ５の外周より若干大きく、かつ内側に向かって若干低くなる勾配があると同時に、その嵌合用の突起３寄りの部分が嵌合用の突起３の中央部付近から嵌合用の突起３を欠いた部分に向かって円周方向に若干低くなる勾配があるフランジの略水平部分、３は受皿１のフランジの内側寄りの部分にある数か所の部分を欠いた嵌合用の円周状の突起である。【０００９】  本考案の一実施例は上述の如き構成からなるものであるから、上に被せたドーム型の育苗用保温器４の内側に付着した結露による水滴が、受皿１の中に流入する。
【符号の説明】
【００１０】１  受皿本体
２  フランジの略水平部分
３  嵌合用の突起
４  育苗用保温器
５  育苗用保温器のフランジ
６  通気孔
【図１】
0003160171.tif 000003
【図２】
0003160171.tif 000004
【図３】
0003160171.tif 000005
【図４】
0003160171.tif 000006
(57)【要約】【課題】  墓参りで線香を供える際、楽な姿勢で、且つ容易に線香を供えることができる墓石用香炉を提供すること。【解決手段】  少なくとも棹石（１１）、上台石（１２）、中台石（１３）とで構成される墓石（１０）に具備される墓石用香炉（１）において、かかる墓石用香炉（１）を、上台石（１２）の前面であって、中台石（１３）の上に配置したことを特徴とする【選択図】図１
0003160138.tif 000002
【実用新案登録請求の範囲】
【請求項１】
少なくとも棹石、上台石、中台石とで構成される墓石に具備される墓石用香炉において、かかる墓石用香炉を、上台石の前面であって、中台石の上に配置したことを特徴とする墓石用香炉。
【請求項２】
前記墓石用香炉は、前方に開口部が形成される状態に配置される請求項１記載の墓石用香炉。
【考案の詳細な説明】
【技術分野】
【０００１】  本考案は、楽な姿勢で、且つ容易に線香を供えることができる墓石用香炉に関する。
【背景技術】
【０００２】  一般的な墓石の底部前面には、線香を供えるための墓石用香炉が具備されている。通常の墓石用香炉１は、図３に示すように、基台の上であって、墓石１０の花立１４や水鉢１５の前に配置されている。また、前記墓石用香炉１の内部には、線香Ａを収容する線香収納部３が形成されている。
【先行技術文献】
【特許文献】
【０００３】  また、前記墓石用香炉に関連する先行技術として、納骨時以外には納骨室扉を隠す役割を果たし、納骨時には、容易に納骨室扉の前方に空間を設けることが可能な墓前用香炉がある（例えば特許文献１参照）。
上掲特許文献１の墓前用香炉は、２つの分割体と分割体とに分割可能な石製の香炉本体と、前記各分割体を進退移動自在に支持する車輪部とが設けられていることを特徴とする。
【特許文献１】特開２００８−１１５６５６号公報
【考案の概要】
【考案が解決しようとする課題】
【０００４】  しかしながら、一般的な墓石用香炉及び上掲特許文献１の墓前用香炉においては、墓前用香炉が墓石の下部に配置されている。そのため、墓参りで線香を供える際、身体を屈めた窮屈な姿勢で行わなければならず、高齢者や身体の不自由な人にとっては非常に苦痛な行為となった。【０００５】  そこで本考案は上記の点に鑑み、墓参りで線香を供える際、楽な姿勢で且つ容易に線香を供えることができる墓石用香炉を提供することにある。
【解決を解決するための手段】
【０００６】  上記課題を解決するために本考案の墓石用香炉は、少なくとも棹石、上台石、中台石とで構成される墓石に具備される墓石用香炉において、かかる墓石用香炉を、上台石の前面であって、中台石の上に配置したことを特徴とする。
【０００７】  また前記墓石用香炉は、前方に開口部が形成される状態に配置される。
【考案の効果】
【０００８】  墓石用香炉を中台石上に配置したことにより、墓石用香炉の開口部の位置が上部に位置されるため、墓参りで線香を供える際、身体を屈めた窮屈な姿勢をとる必要がなく、楽な姿勢で容易に線香を供えることができる。
【図面の簡単な説明】
【０００９】
【図１】本考案における墓石用香炉の配置状態を示す。
【図２】本考案における墓石用香炉の使用状態を示す側面図である。
【図３】従来の墓石用香炉の配置状態を示す。
【考案を実施するための形態】
【００１０】  以下、本考案の墓石用香炉における実施の形態を図面に基づいて説明する。
図１に示す墓石用香炉１は、墓参りで線香を供える際、身体を屈めた窮屈な姿勢をとる必要がなく、楽な姿勢で容易に線香を供えることができることを特徴とする。
【００１１】  前記墓石用香炉１が配置される墓石１０は、少なくとも棹石１１、上台石１２、中台石１３とで構成される。また中台石１３の前面には、花を献花する花立１４や水鉢１５が具備されている。
【００１２】  また本考案の墓石用香炉１が配置される墓石１０は、上述の三段墓に限定されるものではなく、スリン台石を具備したものでもよい。また角柱状の棹石からなる和型は基より、棹石が横長状の洋型や様々な形状の棹石からなるデザイン墓でもよい。
【００１３】  前記墓石用香炉１は、前面に開口部２を有し、内部に線香Ａを収容する線香収納部３が形成されている。また前記墓石用香炉１は、図示する箱型形状の角香炉に限定されるものではなく、扉付き香炉、屋根香炉、経机香炉等のさまざまな種類の香炉を利用することができる。
【００１４】  また特に、前記墓石用香炉１を、上台石１２の前面であって、中台石１３の上に配置したことを特徴とする。この際、中台石１３の前面の幅ｄをやや幅広状とし、幅広状の中台石１３の上に墓石用香炉１を配置させる。
【００１５】  前記墓石用香炉１を、上台石１２の前面であって、中台石１３の上に配置したことにより、墓石用香炉１の位置が地上より高い位置に配置される。そのため、図２に示すように、膝を折り曲げることなく、楽な姿勢で、且つ容易に線香Ａを供えることができる。
【００１６】  また、花立１４や水鉢１５の前面に墓石用香炉１を配置させないことにより、献花や供物を供えることが容易になるとともに、墓石１０の前面にスペースが生じ、墓所の有効利用が実現できる。
【符号の説明】
【００１７】１    墓石用香炉
２    開口部
３    線香収納部
１０  墓石
１１  棹石
１２  上台石
１３  中台石
１４  花立
１５  水鉢
Ａ    線香
【図１】
0003160138.tif 000003
【図２】
0003160138.tif 000004
【図３】
0003160138.tif 000005
【手続補正書】
【提出日】平成22年2月14日(2010.2.14)
【手続補正１】
【補正対象書類名】実用新案登録請求の範囲
【補正対象項目名】全文
【補正方法】変更
【補正の内容】
【実用新案登録請求の範囲】
【請求項１】
少なくとも棹石、上台石、中台石とで構成される墓石に具備される、開口部を有し、内部に線香を収容する線香収納部が形成されている墓石用香炉において、かかる墓石用香炉を、上台石の前面であって、中台石の上に配置したことを特徴とする墓石用香炉。
【請求項２】
前記墓石用香炉は、上台石の前面であって、中台石の上に、前記開口部が前方に向いた状態に配置される請求項１記載の墓石用香炉。
(57)【要約】      （修正有）【課題】作動不良になったフロアーヒンジ式防火ドアーの枠、扉を使い正常に作動するオートヒンジ式に変更する防火ドアーを提供する。【解決手段】フロアーヒンジ埋め込みボックス内にオートヒンジ受座を固定して、扉にはオートヒンジ本体１２を組み込む。床に埋め込んだフロアーヒンジ本体は湿気などが原因で錆付き作動不良になる場合が多いが、オートヒンジ本体１２は扉に組み込んであるので錆びにくい。フロアーヒンジ式防火ドアーは室内設置が多く扉枠とも錆による腐れが少ないので、既存扉枠を使用できて廃材も出さず搬出入の多大な労力も必要なく、また、オートヒンジ軸受固定作業は溶接固定作業と違い短時間で正確に完了するなど大幅なコスト削減が出来る。【選択図】図７
0003160135.tif 000002
【実用新案登録請求の範囲】
【請求項１】
フロアーヒンジ式防火ドアーのヒンジ本体埋め込みボックス内に、オートヒンジ受座を位置決めプレート及び調整ネジ兼アンカーを使い固定し、既存扉下部にオートヒンジ本体を組み込みオートヒンジ式防火ドアーに変える省エネ式防火ドアー。
【考案の詳細な説明】
【技術分野】
【０００１】  本考案は、作動不良になったフロアーヒンジ式防火ドアーをオートヒンジ式防火ドアーに変更してなる省エネ式防火ドアーに関する。
【背景技術】
【０００２】  従来のフロアーヒンジ式防火ドアーは、床に埋め込んだボックス内に本体がセットしてあり、扉下部軸受と扉上部と上枠のトップピボットで吊ってある。
公開番号  特開２００４−２２５３２４
【考案の概要】
【考案が解決しようとする課題】
【０００３】  しかしながら、フロアーヒンジが使われた期間が長い上に本体が床に埋め込んである為に湿気等による錆や油漏れで故障する確立が高い。故障したらフロアーヒンジを取り替えるか、または枠扉を新たに製作して被せ工法・ハツリ工法でオートヒンジ式防火ドアーに替えるのが一般的である。しかし、フロアーヒンジからオートヒンジへの生産移行が進み取り替え用の同品番を探しても入手が難しい上に、新規製作した場合は製品費用や既存製品の廃棄及びハツリ費用など多額の経費が発生するなどの欠点があった。
【課題を解決するための手段】
【０００４】  本考案は、現在設置してあるフロアーヒンジ式防火ドアーの扉下部にオートヒンジ本体を組み込むのであるが、フロアーヒンジ軸受部品をはずし、そのチャンネル兼補強部材にオートヒンジ本体挿入用穴をあけ、本体を挿入後に調整座板で高さを決めて固定する。そして、フロアーヒンジ本体を外した床埋め込みボックス内でオートヒンジ軸受を高さ位置決めプレート・調整ネジ兼アンカーと左右前後位置決め調整ネジ兼アンカーを使いトップピボット位置と寸法を合わせた後にセメントで固定する。既存扉枠上部に設置してあるトップピボットを利用して枠と扉が擦れる事なく可動するように吊り込む。
【考案の効果】
【０００５】  床に埋め込んだフロアーヒンジ本体は湿気などが原因で錆付き作動不良になる場合が多いが、オートヒンジ本体は扉に組み込んであるので錆びにくい。フロアーヒンジ式防火ドアーは室内設置が多く扉枠とも錆による腐れが少ないので、既存扉枠を使用できて廃材も出さず搬出入の多大な労力も必要なく、また、オートヒンジ軸受固定作業は溶接固定作業と違い短時間で正確に完了するなど大幅なコスト削減が出来る。
【図面の簡単な説明】
【０００６】
【図１】本考案に係る省エネ防火扉の軸受固定正面図である。
【図２】本考案に係る省エネ防火扉の軸受固定側面図である。
【図３】本考案に係る省エネ防火扉のセメントによる軸受固定図である。
【図４】本考案に係るフロアーヒンジ扉の軸受の取り外し図である。
【図５】本考案に係る省エネ防火扉のオートヒンジ挿入口の図である。
【図６】本考案に係る省エネ防火扉の軸高さ調整座板を示した図である。
【図７】本考案に係る省エネ防火扉の吊り込み図である。
【考案を実施するための形態】
【０００７】  図１、図２に示されるように、フロアーヒンジ本体を外したボックス７内でオートヒンジ軸受１を調整ネジ３．４．５及びプレート２を使い固定する。
【０００８】  図３に示されるように、フロアーヒンジボックス７内で固定したオートヒンジ軸受１にセメント８を流し込み固定する。この時、調整ネジ３．４．５はアンカーの役目をする。
【０００９】  図４に示されるように、フロアーヒンジ軸受９を扉下部チャンネル兼補強部材１０から取り外す。
【００１０】  図５に示されるように、フロアーヒンジ軸受９を取り外した後、扉下部チャンネル兼補強部材１０にオートヒンジ本体１２を挿入できる様に穴１１をあける。
【００１１】  図６に示されるように、オートヒンジ本体１２を既存扉１７内部に組み込むのだが、オートヒンジ取り付け台１３の厚みａとフロアーヒンジ軸受９の厚みｂが違う為に調整座板１４を敷いてオートヒンジ本体１２の高さ位置を決めて固定する。
【００１２】  図７に示されるように、上記工程でオートヒンジ本体１２・軸受１に取り替えたら、既存扉１７と既存枠１６に設置しあるトップピボット１５の竪枠からの寸法ｃとオートヒンジ軸受１の竪枠からの寸法ｄを確認して開閉に支障がない様に取り付ける。
【符号の説明】
【００１３】  １・・・オートヒンジ軸受
２・・・高さ位置決めプレート
３・・・左右位置決め調整ネジ兼アンカー
４・・・前後位置決め調整ネジ兼アンカー
５・・・高さ位置決め調整ネジ兼アンカー
６・・・調整ネジ兼アンカー取り付け台
７・・・フロアーヒンジ床埋め込みボックス
８・・・セメント
９・・・フロアーヒンジ軸受
１０・・・扉下部チャンネル兼補強部材
１１・・・オートヒンジ挿入用穴
１２・・・オートヒンジ本体
１３・・・オートヒンジ取り付け台
１４・・・調整用座板
１５・・・トップピボット
１６・・・既存枠
１７・・・既存扉
ａ・・・オートヒンジ取り付け台厚み
ｂ・・・フロアーヒンジ軸受厚み
ｃ・・・竪枠とトップピボットの寸法
ｄ・・・竪枠とオートヒンジ軸受の寸法
【図１】
0003160135.tif 000003
【図２】
0003160135.tif 000004
【図３】
0003160135.tif 000005
【図４】
0003160135.tif 000006
【図５】
0003160135.tif 000007
【図６】
0003160135.tif 000008
【図７】
0003160135.tif 000009
(57)【要約】      （修正有）【課題】日本料理において和食調味料の定番を増やす事により新たな食感の分野が増し、飲食店等でのコストダウンにも資する調味料を提供する。【解決手段】原材料として野菜類（ショウガ、すだち、しそ）を１：２：２の割合でこれらをペースト状にして練り合わせることにより、生で新鮮な和風の風味と食感があり、香り高い風味と食感で、寿司、刺身、等に適した調味料を得る。【選択図】図１
0003160139.tif 000002
【実用新案登録請求の範囲】
【請求項１】
原材料として３種の生野菜である、すだち、しそ、ショウガをペースト状に加工して使用し、これらを２：２：１の割合で混合して成る和風調味料。
【考案の詳細な説明】
【技術分野】
【０００１】
本発明は和食調味料に関するものであり、特に生野菜を使用する物であり
その為、新鮮でまろやかな香りを要する和食調味料に関する。
【背景技術】
【０００２】
さしみ等、日本料理においては、わさび、ショウガ、等の和食調味料が必順で
あるが定番で新しい食感が味わえない物も多い。
【先行技術文献】
【特許文献】
【０００３】
【特許文献１】特開平１１−３４６７０５
【特許文献２】特３６５１６８８
【考案の開示】
【考案が解決しようとする課題】
【０００４】
日本料理において和食調味料の定番を増やす事により新たな食感の分野が増し
飲食店等でのコストダウンにも広く提供する事を目的としてなされたものである。
【課題を解決するための手段】
【０００５】
従来日本料理等においては調味料の原料はほとんどが野菜等を単品で使用しており
定番の物となっている。しかしながら飲食店、家庭等などではこの工程を入れると
原材料の負担が大きくこんなんである。
【考案の効果】
【０００６】
本考案によれば生野菜を混合する事により新鮮で今までにない新しい和風調味料の
風味が味わえ、これを広く提供することが出来る。また、丸ごと使用するので生ごみもまったく出ない。
【考案を実施するための最良の形態】
【０００７】
本考案の和風調味料に使用される原材料は一般的に使用される原材料と特に変わりなく、すだち、しそ、ショウガの３種類の生野菜をペースト状にし、これを適合混合し製造
される。
【実施例】
【０００８】
本考案は原材料を以下の割合でペースト状にし、これらを混合して新しい和風調味料
を得ることが出来る。すだち２：しそ２：ショウガ１。
先の工程で出来上がった物をチューブ状の物に入れると、使いやすく保存にも適し
必要量だけ取り出せる。
【０００９】
生のすだち、しそ、ショウガの３つを使い、ブレンドすると「新な味わい」が生まれる。     
【図面の簡単な説明】
【００１０】
【図１】チューブ状容器に入れた５０ｇの製品例
【符号の説明】
【００１１】
１  本製品を入れたチューブ状容器
【図１】
0003160139.tif 000003
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
原材料として３種の生野菜である、すだち、しそ、ショウガをペースト状に加工し、これらを２：２：１の割合で混合して成るチューブ状容器に入れた和風調味料    
【手続補正２】
【補正対象書類名】図面
【補正対象項目名】図１
【補正方法】変更
【補正の内容】
【図１】
0003160139.tif 000004
(57)【要約】      （修正有）【課題】リモコン等を操作するとき、上掛け寝具内に外気を侵入させずに両下腕を出すことが出来る寝具を提供する。【解決手段】上掛け寝具の頭部側の両下腕に位置する箇所を２枚構成にし、この２枚構成部中央の最適な位置に両下腕を差し入れる切込み開口と、両下腕を差し出せる切込み開口を設ければよい。上掛け寝具の頭部側上縁１と足部側下縁２よりの最適な位置を２枚構成にして２枚構成部の縫合する箇所５にする。この手段で、上掛け寝具を使用状態保持のままリモコン等を両下腕で操作することが出来る。また、上掛け寝具は逆さまに使用しても機能は変わらない。また必要によりこの寝具にリモコン等を挿入できる技術を付加する。【選択図】図１
0003160133.tif 000002
【実用新案登録請求の範囲】
【請求項１】
リモコン等を操作するとき、上掛け寝具内に外気を侵入させずに両下腕を出すことが出来る寝具。
【考案の詳細な説明】
【技術分野】
【０００１】  上掛け寝具を使用状態保持のままリモコン等を操作するとき、上掛け寝具内に外気を侵入させずに両下腕を出すことが出来る技術に関するものである。
また必要によこの寝具にリモコン等を挿入できる技術を付加する。
【背景技術】
【０００２】  上掛け寝具使用中にリモコン等を操作するとき、上掛け寝具の一部分を払い除けるかして両下腕を出し操作する以外に方法は無かった。
【考案の概要】
【考案が解決しようとする課題】
【０００３】  従来の技術は、上掛け寝具を使用状態保持のままでリモコン等を操作するとき、両下腕を出せる状態に寝具を払い除けるか又は両下腕を寝具の上縁から出すしか方法は無かった。本考案はこれらの課題を解決した。
【課題を解決するための手段】
【０００４】  上掛け寝具の頭部側で両下腕に位置する箇所を２枚構成にする。この２枚構成にした下面中央部上縁よりに両下腕を入れることが可能な切込み開口を設け、又この２枚構成にした上面中央部下縁よりに両下腕を出すことが可能な切込み開口を設ける。上掛け寝具を使用状態保持のまま両下腕を寝具外に出してリモコン等の操作を可能にすればよい。
また上掛け寝具の足部側に前項と同一技術を設ける。
【考案の効果】
【０００５】  本考案は、上掛け寝具を使用状態保持のまま両下腕を寝具の外に出してリモコン等の操作が出来、かつ両下腕を差し込む切込み開口部と両下腕を寝具の外に差し出す切込み開口部の位置がずれているのでリモコン等の操作中上掛け寝具内に外気が侵入しない。
尚、上掛け寝具は逆さまに使用しても機能は変わらない。
【図面の簡単な説明】
【０００６】
【図１】本考案の平面図
【図２】本考案の正面図
【符号の説明】［図１］〜［図２］の
１は、上掛け寝具の頭部側上縁。
２は、下掛け寝具の足部側下縁。
３は、上掛け寝具の両下腕を挿入する２枚構成部の内側に設けた切込み開口。
４は、上掛け寝具の両下腕を差し出す２枚構成部の表側に設けた切込み開口。
５は、２枚構成部を縫合する箇所。
６は、上掛け寝具の縦方向中心線。
７は、２枚構成部。
【考案を実施するための形態】
【０００７】  本考案の上掛け寝具は通常着用でよい。
【実施例】
【０００８】▲３▼  以下、添付図面に従って実施例を説明する。
１は、上掛け寝具の頭部側。
２は、上掛け寝具の足部側。
３    に両下腕を差し込んで、
４    から両下腕を差し出す。
５は、２枚構成部の縫合する箇所。
６は、上掛け寝具の縦方向中心線。
７は、上掛け寝具の２枚構成部。
【図１】
0003160133.tif 000003
【図２】
0003160133.tif 000004
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
上掛け寝具を頭部側の両下腕部に位置する箇所を上面・下面の２枚構成に形成し、この２枚構成に形成した下面中央部の上縁寄りに当該寝具使用者の両下腕挿入が可能な切込み開口を設ける。また当該寝具の２枚構成に形成した上面中央部の下縁寄りに、当該寝具を２枚構成に形成した下面中央部の上縁寄りに設けた切込み開口から挿入した両下腕を出すことが可能な切込み開口を設ける。以上の技術に拠って上掛け寝具着用保持の状態で、上掛け寝具の内側に外気を侵入させずに上掛け寝具から両下腕を出して照明器具・テレビジョン・電気電子式音響受信機・空調送風機器・警報信号監視機器・その他遠隔操作で機能する機器等を制御するのに用いるリモコンや携帯電話機（以下「リモコン等」と書く。）の操作が可能となる。尚、上掛け寝具を１８０°転回して着用しても同一機能を保有させるため上掛け寝具の足部側にも頭部側と同一技術を採用する。
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
上掛け寝具において、寝具の頭部側の両下腕部に位置する箇所を上面・下面の２枚構成に形成し、この２枚構成に形成した下面中央部の上縁寄りに当該寝具使用者の両下腕挿入が可能な切込み開口を設けるとともに、当該寝具の２枚構成に形成した上面中央部の下縁寄りに、上記下面中央部の切込み開口から挿入した両下腕を出すことが可能な切込み開口をさらに設けることを特徴とした寝具。
【手続補正２】
【補正対象書類名】明細書
【補正対象項目名】０００６
【補正方法】変更
【補正の内容】
【０００６】
【図１】  本考案の平面図
【図２】  本考案の正面図
【符号の説明】
［図  １］〜［図  ２］の
１は、上掛け寝具の頭部側上縁。
２は、上掛け寝具の足部側下縁。
３は、上掛け寝具の両下腕を挿入する２枚構成部の下面に設けた切込み開口。
４は、上掛け寝具の両下腕を差し出す２枚構成部の上面に設けた切込み開口。
５は、２枚構成部を縫合する箇所。
６は、上掛け寝具の縦方向中心線。
７は、２枚構成部。
【手続補正３】
【補正対象書類名】明細書
【補正対象項目名】０００８
【補正方法】変更
【補正の内容】
【０００８】以下、添付図面に従って実施例を説明する。
１は、上掛け寝具の頭部側。
２は、上掛け寝具の足部側。
３    に両下腕を差し込んで、
４    から両下腕を差し出す。
５は、２枚構成部の縫合する箇所。
６は、上掛け寝具の縦方向中心線。
７は、上掛け寝具の２枚構成部。
(57)【要約】      （修正有）【課題】目薬が効率よく使用できる点眼補助具を提供する。【解決手段】長方形の四面体で、解放面片側の縁の両肩部分は、Ｕ字の形に丸みを持たせ、縁の中央部にかけて凹みをつける。さらに側面の片面には、切抜きの窓を開ける。【選択図】図１
0003160137.tif 000002
【実用新案登録請求の範囲】
【請求項１】
長方形の四面体で、開放面片側の縁の両肩部分は、Ｕ字の形に丸みを持たせ、縁の中央部にかけて凹みをつけ、側面の片面には、中央部分に切抜きの窓を開けたのを特徴とする点眼補助具。
【請求項２】
長方形の四面体で、開放面片側の縁の両肩部分は、Ｕ字の形に丸みを持たせ、縁の中央部にかけて凹みをつけ、側面に切抜きの窓を設けないのを特徴とする請求項１の点眼補助具。
【考案の詳細な説明】
【技術分野】
【０００１】  目薬の点眼の際に使用する、点眼補助具に関するものである。
【背景技術】
【０００２】  目薬を使用する時は、顔を上向け真上から薬液を点眼するようにしているが、目薬を持つ指先が不安定なため正確に滴下できず、目薬が睫に当たったり、目から外れるなど、思うように点眼するのが難しかった。
【先行技術文献】
【特許文献】
【０００３】  目薬をうまく差されるように、目薬容器をコップ状の補助具にセットし目の周りに当てて点眼するもの（例えば特許文献１）又は、支えの板状の補助具を目薬容器に装着、支えを上下にスライドして使用するするもの（例えば特許文献２）などがある。【０００４】
【特許文献１】特許公開２００２−３６０６６０
【特許文献２】特許公開２００９−１０６４６０
【考案の概要】
【考案が解決しようとする課題】
【０００５】  いずれも、目薬液を差す時点で、使い勝手や両手を使って使用するなど安定性に難点があった。
本考案は、以上の問題点を解決するためのものである。
【課題を解決するための手段】
【０００６】  長方形の四面体で、解放面片側の縁の両肩部分は、Ｕ字の形に丸みを持たせ、縁の中央部にかけて凹みをつけ、側面の片面には中央部分に切抜きの窓を開けたのを特徴とする点眼補助具である。【０００７】  また同じ形状で、側面の片面に切り抜き窓のないのを特徴とする点眼補助具である。
【考案の効果】
【０００８】  本考案の補助具は、嵩張らず携帯にも便利で、片手でも使い易いようにしたものである。
【図面の簡単な説明】
【０００９】
【図１】    本考案補助具の斜視図
【図２】    本考案補助具の平面図
【図３】    本考案補助具の使用説明図
【考案を実施するための形態】
【００１０】  長方形の四面体で（１）解放面（２）片側の縁（３）の両肩部分（４）は、Ｕ字の形に丸みを持たせ、縁は（３）中央部分にかけて凹み（５）をつけ、側面の片面には中央部分に切抜きの窓（６）を開けた補助具である。四面体の解放面（２）から目薬容器（７）を中に入れ、目薬容器（７）を片側の窓面（６）から親指（８）で押さえて保持し、上向きにした顔の目頭部分と目尻部分に、補助具の縁の両肩部分（４）を接顔し、親指（８）を圧迫して点眼するものである。
【００１１】  また同じ形状の、側面に切り抜き窓を設けない補助具（１）で、目薬容器（７）を中に入れた後、容器（７）の位置を決めて親指で挟んで、縁の両肩部分（４）を目頭と目尻部分に当て安定的に点眼できるようにしたものである。
【００１２】  補助具の素材は、側面に窓の有る無しによって、プラスチックなど合成樹脂の硬質のもの、または弾力性のあるものなどを利用し、遮光性のある色を利用する。
【符号の説明】
【００１３】１          補助具
２          解放面
３          片側縁
４          両肩部分
５          凹み
６          窓
７          目薬容器
８          親指
【図１】
0003160137.tif 000003
【図２】
0003160137.tif 000004
【図３】
0003160137.tif 000005
【手続補正書】
【提出日】平成22年3月15日(2010.3.15)
【手続補正１】
【補正対象書類名】実用新案登録請求の範囲
【補正対象項目名】請求項２
【補正方法】変更
【補正の内容】
【請求項２】
長方形の四面体で、解放面片側の縁の両肩部分は、Ｕ字の形に丸みを持たせ、縁の中央部にかけて凹みをつけたのを特徴とする点眼補助具。
(57)【要約】      （修正有）【課題】芋焼きにおいて、原料芋の旨み、甘みをより強く引き出す芋焼き用小石セットを提供する。【解決手段】芋焼き用小石とトルマリン石を７対３の割合で混合して使用することにより、芋のもつ本来の旨み、甘みをより強く引き出すことができる。小石とトルマリン石の小石セットを芋焼き用焼き器に敷き詰め、充分に加熱した後、原料の芋を上に乗せ並べて焼き上げる。【選択図】図２
0003160156.tif 000002
【実用新案登録請求の範囲】
【請求項１】
芋焼き用の焼き器で使用する小石に、トルマリン石を混ぜ合わせて使用する芋焼き用小石セット。
【考案の詳細な説明】
【技術分野】
【０００１】  本考案は、石焼き芋などの小石を使って芋を焼く場合に、その小石にトルマリン石を７対３の割合で混ぜ合わせ、芋の旨みをより引き出すための、芋焼き用小石セットに関するものである。
【背景技術】
【０００２】  芋焼きにおいて、原料芋の旨み、甘みをより強く引き出すための技術がこれまでにはなかった。
【先行技術文献】
【特許文献】
【０００３】
【特許文献１】
【考案の概要】
【考案が解決しようとする課題】
【０００４】  従来は、単に小石を使用して焼くだけのもので、芋のもつ本来の旨み、甘みを更に引き出す工夫がなかった。
【課題を解決するための手段】
【０００５】  本考案は、芋焼き用小石とトルマリン石を、７対３の割合で混ぜ合わせた小石セットを、芋焼き用焼き器に敷き詰めて使用する。
【考案の効果】
【０００６】  トルマリン石を小石に混合することで、遠赤外線効果、マイナスイオンの作用によって芋本来の旨み、甘みをより強く引き出すことができる。
【図面の簡単な説明】
【０００７】
【図１】  芋焼き用小石セット。
【図２】  本考案を適用する場合の一実施例を示す概要図である。
【考案を実施するための形態】
【０００８】  小石とトルマリン石の小石セットを芋焼き用焼き器に敷き詰め、充分に加熱した後、原料の芋を上に乗せ並べて焼き上げる。
【実施例】
【０００９】  以下、石焼芋の場合について、添付図面に従って一実施例を説明する。図１の芋焼き用小石セットを図２のように芋焼き器の中に敷き詰める。【００１０】  図２の小石セットを十分に熱した後、その上に原料のさつま芋を乗せ並べて焼く。【００１１】  本考案の一実施例は上述のとおりであるから、どのような芋焼き器にでも使用でき、その効果も一様である。
【符号の説明】
【００１２】  １    芋焼き用小石
２    トルマリン石
【図１】
0003160156.tif 000003
【図２】
0003160156.tif 000004
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
芋焼き用の焼き器で使用する小石に、トルマリン石を混ぜ合わせた芋焼き用小石セット。
(57)【要約】      （修正有） 【課題】生ごみ等が入って重いゴミ袋や燃やせないゴミ等の嵩張っているゴミ袋を距離のあるごみ収集所まで清潔で手軽に運搬することができるゴミ出しカートを提供する。【解決手段】略円弧に湾曲するフレーム１の一端は並列した２つの車輪２が回転自在に枢支され、もう一端にはハンドル３が設けられており、両者の間の該フレームの中央付近の下部の位置にはフック４が設けられている。フック４にゴミ袋５を吊るし、フレーム１は、ゴミが充満したごみ袋５を吊るした場合にもフレーム１に当たらない位置に配する。【選択図】図１
0003160129.tif 000002
【実用新案登録請求の範囲】
【請求項１】
略円弧に湾曲した形状のフレーム（１）の一端は並列した２つの車輪（２）が回転自在に枢支され、もう一端はハンドル（３）が設けられており、両者の間の該フレーム中央付近の下部の位置にはフック（４）が設けられていることを特徴とするゴミ出しカート。
【考案の詳細な説明】
【技術分野】
【０００１】
本考案は家庭ゴミの運搬器具に関する。
【背景技術】
【０００２】
一般的に、家庭で発生したごみ（家庭ゴミ）は各自治体で決められた指定の袋等に詰めて、ごみ収集所へ運搬する必要がある。
【０００３】
生ごみ等が入って重いゴミ袋や燃やせないゴミ等の嵩張っているゴミ袋を距離のあるごみ収集所まで運搬することは汚れや重量、嵩張りで苦労のあるものであった。
【先行技術文献】
【特許文献】
【０００４】
【特許文献１】特開２００９−８３７６０号公報
【考案の概要】
【考案が解決しようとする課題】
【０００５】
重いゴミ袋や嵩張っているゴミ袋を距離のあるごみ収集所まで清潔で手軽に運搬すること。
【課題を解決するための手段】
【０００６】
湾曲するフレームの一端は並列した２つの車輪が回転自在に枢支され、もう一端にはハンドルが設けられており、該フレームの中央付近の下部の位置にフックが該フレームに沿うように取り付けられている。
【考案の効果】
【０００７】
回転自在に枢支された車輪を有するため軽く押すこと又は引っ張ることができる。
【０００８】
また湾曲したフレームの下部の位置にあるフックにゴミ袋を吊るすため本体及汚れることがなく、ゴミ袋が人に触れることがない。またフックはフレームの中央付近の下部の位置にフレームにそって取り付けられているために複数のゴミ袋を吊るすことができる。
【０００９】
本体の幅が狭いことから、収納スペースが小さく置き場所の自由度が高い。
【図面の簡単な説明】
【００１０】
【図１】本考案を示した側面図である。
【図２】本考案を示した背面図である。
【考案を実施するための形態】
【００１１】
以下、本考案の実施の形態を図１〜図２に基づいて説明する。
【００１２】
図１に示すように、フレーム１はゴミが充満したゴミ袋５よりも大きい略円弧に湾曲している。また、フック４はゴミ袋５を吊るした場合にフレーム１に当たらない位置にある。
【００１３】
図１及び図２に示すように、フレーム１の一端には車輪２がもう一端にはハンドル３が設けられておりハンドルの下部の形状が球であることも可能である、またフレーム１の中央付近の下部の位置にあるフック４は波打った形状であることも可能である。
【００１４】
図２に示すように、２つの車輪２が並列に設けられており、安定性の向上を目的にネガティブキャンバーをつけることも可能である。
【産業上の利用可能性】
【００１５】
家庭用品として製造販売することができる。
【符号の説明】
【００１６】
１          フレーム
２          車輪
３          ハンドル
４          フック
５          ゴミ袋
（１）
【図１】
0003160129.tif 000003
【図２】
0003160129.tif 000004
(57)【要約】      （修正有）【課題】喫煙途中の煙草を真っ直ぐの状態で一度消火させ、保存する事により、一本の煙草で２回、３回と分割で喫煙をたしなむ事ができ、喫煙ユーザーの経済的負担を軽減すると同時に、健康のため喫煙量を大幅に減少させる節煙用具を提供する。【解決手段】煙草をフィルター側から通す煙草保持パイプ１に煙草を通して、煙草保持パイプ１を被せる缶状の外パイプ２Ａ，２Ｂで密閉をする。その際、煙草の位置を固定するストッパー３で、煙草の位置決めをすることにより、形状を崩さず消火することが可能になる。消火する際に発生する熱は、火種の熱を遮断し防護する耐熱保護材４により遮断し防護され容易に消火と保存ができるようになり、一本の煙草で一回の喫煙タイムを２回、３回に分割させることにより、喫煙ユーザーの経済的負担の軽減と一日に喫煙する本数を大幅に減少するのに役立つ。【選択図】図１
0003160169.tif 000002
【実用新案登録請求の範囲】
【請求項１】
喫煙途中の煙草を煙草保持パイプに挿入し、熱を感知させないための耐熱断熱材を被着した金属製で缶状の２個のパイプで両方から挟むように収納し煙草保持パイプを主軸にして密閉し空気を遮断することで消火すると同時に、そのまま保存することにより一本の煙草を、バージン状態で２回、３回と喫煙を再開出来る事を特徴とする節煙用具の構造
【考案の詳細な説明】
【技術分野】
【０００１】  本考案は、喫煙途中の煙草をもみ消すことなく真っ直ぐの状態で消火させ、密閉して煙草を保存する事により、一定の時間を置いても再度喫煙ができる節煙用具に関するものである。
【背景技術】
【０００２】  たばこ税の増税により、煙草が値上がりする中で、喫煙者はなすすべもなく喫煙を継続しているのが現状である
【考案の概要】
【考案が解決しようとする課題】
【０００３】  煙草の単価が値上りすれば、喫煙者の経済的負担は大きく、継続的に煙草を購入する事が困難になり、喫煙者にとって多大なストレスを貯める事となる。
【課題を解決するための手段】
【０００４】  本考案は、内径を煙草のサイズに合わせた煙草保持パイプと、この煙草保持パイプを介して長短２個の缶状の外パイプを両端から冠着させパイプの内部を酸欠状態にすることで、瞬時に消火する、このとき外パイプの加熱で火傷をしない様に耐熱性の不燃素材を用いて外パイプの外周に被着し熱さを感じさせないで安全に消火できるようにした事で問題を解決した。【０００５】  上述のように、本考案の節煙用具は、喫煙途中で消火しても安全に真っ直ぐに消火され、その上、空気を遮断し酸欠状態で保管する事により、一定時間を置いて喫煙を再開しても、違和感なくバージン状態の喫煙をたしなむ事ができ、１箱の価値を２倍、３倍に高める事で、喫煙者の経済的負担を軽減させるのに役立つとともに、喫煙行為自体も軽減できる。
【考案の効果】
【０００６】  本考案の節煙用具は、喫煙者の経済的負担を軽減するとともに、喫煙行為自体も軽減できると上述に記入してあるが、それにより考慮できることが煙草の喫煙本数が圧倒的に減少する事である。喫煙本数が減少すれば経済的負担もさることながら、禁煙を推進するための動機に発展する効果も多いに期待できる
【考案を実施するための形態】
【０００７】  内径を煙草のサイズに合わせた煙草保持パイプに煙草をフィルター側から挿入し、缶状の外パイプ２Ａにフィルター側から挿入し固定する、次に火種側を缶状の外パイプ２Ｂに挿入して煙草保持パイプがストッパーで止まるまで押し圧し空気を遮断して消火するする、これにより携帯することも可能になりいつでも喫煙を再開する事ができる。
【実施例】
【０００８】  以下、添付図面に従って一実施例を説明する。１は煙草の径に合わせた金属製の煙草保持パイプ、２Ａは缶状の外パイプ、２Ｂは缶状の外パイプ３は煙草保持パイプを固定させるストッパー、４は缶状の外パイプに被着した耐熱断熱材、５は消火室、６は煙草。【０００９】本考案の一実施例は、上述の構成から成り立つものであるから、煙草の火種を消火後、それぞれの金属製のカバーを外しても火種のみが消火され、なおかつ乾燥された真っ直ぐのバージン状態で保存されることになる。
即ち煙草の外径に合わせた内径を持った金属製の煙草保持パイプ１に喫煙中で火のついた煙草をフィルター側から挿入しそのまま缶状の外パイプ２Ａに挿入する、次に缶状の外パイプ２Ｂに火種のついた煙草を挿入し密着する事で気密性が保たれ、缶状の外パイプ２Ｂ内の空気は酸欠状態となり火種は一瞬にして消火され、中の煙草はバージン状態で保存される。
尚、機密性を高めると同時に煙草の遊動を防止するためにストッパー３が設けられている、更に火傷防止のために耐熱保護材４を缶状の外パイプ２Ａ及び缶状の外パイプ２Ｂに被着してユーザーの安全を確保している。
【図面の簡単な説明】
【００１０】
【図１】本考案の節煙用具の一実施例を示す断面図である。
【図２】本考案の一実施例を示す斜視図である。
【符号の説明】
【００１１】１  煙草保持パイプ
２Ａ  缶状の外パイプ
２Ｂ  缶状の外パイプ
３  ストッパー、
４  缶状の外パイプに被着した耐熱断熱材、
５  消火室、
６  煙草。
【図１】
0003160169.tif 000003
【図２】
0003160169.tif 000004
(57)【要約】      （修正有）【課題】スプレー缶の穴あけハンマーを提供する。【解決手段】ヘッド（石打部）に中空の突起した針を用いた物を取替可能式にて利用する事で簡単に密閉缶の穴あけ、残留圧縮ガスの抜き取り、開放が行える。スプレー缶穴あけハンマーは、スプレー缶の密閉された封入圧縮ガスを簡単に抜くことが出来る事で密閉缶による爆発事故、二次災害が防げる。また専用工具だけではなく、石打部を使用目的に合わせ準備する事、及び、取替式とする事で、他の用途としても使い分けられるという利点がある。【選択図】図１
0003160170.tif 000002
【実用新案登録請求の範囲】
【請求項１】
手持ちハンマー式とし、ヘッド（石打部）作用面においては、中央部に穴あけ用の突起、中空の突起針を有し構成された取替可能のヘッド、取替ヘッドを利用する事で、スプレー缶の穴あけ開放、封入ガスの抜き取りが出来る工具穴あけハンマー。
【考案の詳細な説明】
【技術分野】
【０００１】
本考案は、加圧、密閉されたスプレー缶の穴あけを簡単にするハンマーに関するものである。
【背景技術】
【０００２】
現在、使用済みスプレー缶の残ガス処理、密閉缶の圧抜きの為の穴あけ方法で似たようなもの物は有ったが、簡単な工具使用、動作でガスを抜くという物は無かった。尚且つ、簡単に使い慣れた物、作業動作の少ない物は無かった。
【先行技術文献】
【特許文献】
【０００３】
【特許文献１】実用新案出願公開平７−１３７９８
【０００４】
【特許文献２】実用新案出願公開平６−９８８３
【考案の概要】
【考案が解決しようとする課題】
【０００５】
解決しようとする問題点は、容易に使い慣れた動作で、スプレー缶の穴あけ、封入圧縮ガスの抜き取り開放出来る工具が無かった点である。
【課題を解決するための手段】
【０００６】
本考案は、ハンマー、ハンマーヘッド（石打部）に中空の穴の開いた突起を取り付けたものを組換え式とし、使用する事で簡単にスプレー缶等の穴あけ、封入圧縮ガスの抜き取り動作が行える。また、他用途の工具としての利用も、ハンマーヘッド（石打部）を入替式とした事で、他使用が出来るのが最も主要な特徴である。
【考案の効果】
【０００７】
本考案のスプレー缶穴あけハンマーは、スプレー缶の密閉された封入圧縮ガスを簡単に抜くことが出来る事で密閉缶による爆発事故、二次災害が防げる。また専用工具だけではなく、石打部を使用目的に合わせ準備する事、及び、取替式とする事で、他  用途としても使い分けられるという利点がある。
【図面の簡単な説明】
【０００８】
【図１】図１はスプレー缶穴あけハンマーの平面図である。（１）は正面図、（２）は伏せ図、（３）は見上げ図、（４）は側面図である。
【図２】図２はスプレー缶穴あけハンマー本体を示した構成図である。（５）は構成、断面図、（６）は分解、断面図、（７）は正面図、（８）は組換え構成図である。
【考案を実施するための形態】
【０００９】
手持ちハンマー式（打ち下ろし）とする事、釘を打つ要領、動作にて使用すること、石打部を取替式とし、その石打部においては、中心部に中空の突起した針を用いる事で簡単に加圧状態のスプレー缶の穴あけ開放が出来るものである。
【実施例１】
【００１０】
図２は、本考案スプレー缶穴あけハンマー本体の姿図、構成図、断面図であって、５〜８は、分解、組立、組換えを表した構成図である。
【００１１】
図２構成、断面図は、握り手部（柄）及び軸心は一般ハンマーに準じ、釘打ち工具程度の強度材質とし、ヘッド（石打部）も同等の強度材質とする。柄本体（ａ）は、柄と直交部は一体物であり、ヘッド（石打部）（ｂ）、（ｃ）は取替式であり尚且つ、緩まないように締め付け、脱落防止式とする。本体側ヘッド（石打部）は接続ネジ（オス）とし、取替受けヘッドは接続ネジ（メス）にて構成する。穴あけヘッド（石打部）は、中心部に中空の突起した針を有した物にて構成された物を使用した状態を表す図である。
【産業上の利用可能性】
【００１２】
穴あけハンマーを用いる事で、容易に圧のかかったスプレー缶の穴あけ、開放、圧抜きが出来、爆発事故、二次災害の防止に繋がる。
【符号の説明】
【００１３】
ａ    柄（握り部軸）、ヘッド（直交部）は一体構成
ｂ    穴あけヘッド（石打部）、片面接続用メスネジ一体構成、及び中空穴あけ針にて構成
ｃ    水平ヘッド（石打部）、片面接続用メスネジ一体構成
【図１】
0003160170.tif 000003
【図２】
0003160170.tif 000004
【手続補正書】
【提出日】平成22年4月4日(2010.4.4)
【手続補正１】
【補正対象書類名】実用新案登録請求の範囲
【補正対象項目名】全文
【補正方法】変更
【補正の内容】
【実用新案登録請求の範囲】
【請求項１】
ヘッドと柄からなるハンマーにおいて、ヘッドの打ち付け面の中央部にスプレー缶の穴あけ用の中空の突起針を設けるとともに、前記ヘッドは取替え可能に構成した穴あけハンマー。